(57)【要約】【課題】利用者に対する肉体的負担を与えることなく、利用者の安全対策をも考慮した画像表示装置を提供する。【解決手段】信号入力部５０１、信号出力部５０４、通信部５０６と、自話者信号を自話者コード列に変換する記号化部５０２、相手話者コード列を、相手話者信号に変換する信号化部５０３、記号化部５０２が出力する自話者コード列から自装置への指令となっている指令コード列を分離抽出し、該指令コード列に対応する操作信号を発生すると同時に、該指令コード列を除いた送信コード列を相手局へ送出されるべきコード列として、通信部５０６に出力する指令分離部５０５を有する。【選択図】    図５
2004350315.tif 000002
【特許請求の範囲】
【請求項１】
画像情報もしくは音声情報を入力するための入力手段と、
この入力手段から入力した情報を記号化する記号化手段と、
この記号化手段により記号化された情報のうち、自己の通信端末装置への指令を表す指令コード列に対応する記号化情報を抽出する抽出手段と、
この抽出手段により抽出した記号化情報を除いて送信情報もしくは送信すべき記号化情報を作成する作成手段と、
この作成手段により作成した送信情報もしくは送信する記号化情報を送信すべき送信手段とよりなる
ことを特徴とする通信端末装置。
【発明の詳細な説明】
【技術分野】
【０００１】
本発明は、ＴＶ電話又はＴＶ会議機能を有する通信端末装置に関する。
【背景技術】
【０００２】
従来、知的画像符号化技術を応用したＴＶ会議装置が提案されている。
【０００３】
この装置は、送信側で話者の画像を解析して得られる該話者の動作や表情を表すパラメータを伝送し、受信側では予め伝送されていた話者のＣＧデータを該受信したパラメータに従って変形させて話者の画像を再現する。これにより、膨大な動画像信号を少ないパラメータに変換して記号レベルで伝送することにより狭帯域伝送路の使用ができた。
【０００４】
しかしながら、知的符号化を行う従来のＴＶ会議装置では、交信に先駆けて話者のＣＧデータを送信しておく必要があり、回線接続後ただちに交信可能とならないという問題点があった。
【発明の開示】
【発明が解決しようとする課題】
【０００５】
従来の知的符号化を行うＴＶ会議装置には、回線接続後ただちに交信可能とならないという問題点があった。
【０００６】
本発明の目的は利用者に対する肉体的負担を与えることなく、利用者の安全対策をも考慮した画像表示装置を提供する。
【課題を解決するための手段】
【０００７】
本発明の通信端末装置は、画像情報もしくは音声情報を入力するための入力手段と、この入力手段から入力した情報を記号化する記号化手段と、この記号化手段により記号化された情報のうち、自己の通信端末装置への指令を表す指令コード列に対応する記号化情報を抽出する抽出手段と、この抽出手段により抽出した記号化情報を除いて送信情報もしくは送信すべき記号化情報を作成する作成手段と、この作成手段により作成した送信情報もしくは送信する記号化情報を送信すべき送信手段とよりなるものである。
【０００８】
本発明の通信端末装置について説明する。
【０００９】
記号化手段は、入力手段から入力した画像情報、もしくは、音声情報を記号化する。
【００１０】
抽出手段は、この記号化手段により記号化された記号化情報のうち、自己の通信端末装置への指令を表す指令コード列に対応する記号化情報のみを抽出する。
【００１１】
作成手段は、この抽出手段により抽出した記号化情報を除いて送信情報、もしくは、送信する記号化情報を作成する。
【００１２】
送信手段は、この作成手段により作成した送信情報、もしくは、送信する記号化情報を送信する。
【００１３】
これにより、本発明の通信端末装置であれば、例えば入力信号から指令を与える信号を検出して送信対象から除外することにより、通話中に画像、音声等による指令操作を可能とし、かつ、この指令信号を不用意に伝送することを防止できる。
【発明を実施するための最良の形態】
【００１４】
（ＴＶ電話装置の第１の実施例）
図１は、本発明の通信端末装置に係るＴＶ電話装置の第１の実施例のブロック図である。
【００１５】
符号１０１は、自話者が発生した音声と自話者が写る画像等の自話者信号を入力する信号入力部である。信号入力部１０１は、例えばマイクロフォンとＴＶカメラ等で構成される。
【００１６】
符号１０２は、信号入力部１０１により入力された自話者信号を、話者に依存しない自話者コード列と話者に依存する自話者特徴とに分離する。具体的には、音声信号を、文字や単語を表すコード列と話者の音質を表わす話者特徴とに分離し、また、画像信号を、動作や表情を表すコード列と話者の容貌を表わすＣＧデータとに分離する。
【００１７】
符号１０３は、相手話者コード列と相手話者特徴とから相手話者信号を復元する信号化部である。信号化部１０３における処理は、記号化部１０２における処理の逆過程となる。
【００１８】
符号１０４は、信号化部１０３により復元された相手話者信号を自話者に対して出力する信号出力部である。
【００１９】
符号１０５は、自話者の操作を受け付ける操作入力部である。
【００２０】
符号１０６は、操作入力部１０５による操作信号に従って、話者ＩＤと話者特徴とからなる話者情報を管理するとともに、回線接続等の装置全体の機能を制御する話者情報管理部である。
【００２１】
符号１０７は、話者情報をデータベース（以下、ＤＢという）化して格納する話者ＤＢ部である。
【００２２】
符号１０８は、相手局との通信回線を接続し、話者コード列や話者情報等を通信信号に変換して相手局とやりとりする通信部である。
【００２３】
次に、上記ＴＶ電話装置の動作を説明する。
【００２４】
このＴＶ電話装置の特徴として３つのモードが存在する点が従来装置と異なる。これらのモードを、オンラインブートモード、オフラインブートモード、ブートレスモードとそれぞれ呼ぶ。以下、各々のモードを説明する。
【００２５】
（１）オンラインブートモード
オンラインブートモードは、話者ＩＤ交換処理２０５により知らされた相手話者が自局の話者ＤＢに未登録（未知話者）であり、かつ、該未知話者の話者情報の自局話者ＤＢへの新規登録を自話者と相手話者の両者が同意した場合にのみ選択されるモードである。
【００２６】
このとき、少なくとも一方の話者が話者情報の送信または受信を拒否した場合には、オンラインブートモードは選択されないことを特記しておく。
【００２７】
オンラインブートモードでは回線接続後から通話処理２０８に移行するまでに登録すべき話者情報を伝送する必要があるため、通話可能となるまでに多少の時間を要する。そのため、従来装置はオンラインモードのみを採用しているため、この問題はそのまま従来装置が抱える問題点でもある。しかしながら、本装置は、次に述べるオフラインブートモードを備えることにより、この問題を回避し、従来装置に比較して極めて高い利便性を発揮している点が特徴である。
【００２８】
（２）オフラインブートモード
オフラインブートモードは、話者ＩＤ交換処理２０５により知らされた相手話者が自局の話者ＤＢに既に登録（既知話者）されている場合に選択されるモードであり、通話に先駆けての話者情報の伝送を必要としないために回線接続後直ちに通話可能となることが特徴である。
【００２９】
即ち、本装置ではオンラインブートモードとオフラインブートモードとを有するために、一旦オンラインブートモードで話者情報を登録しさえすれば、次回から時間のかかるオンラインブートモードを用いる必要がなくなり、使用者を待たせることなく良好な通話開始が実現できるのである。
【００３０】
（３）ブートレスモード
本装置では、上記２つのモード以外に相手話者が未知話者であり、かつ話者情報の交換を希望しない場合に対応したモードとしてブートレスモードも有している。
【００３１】
ブートレスモードでは、話者情報を交換せず、双方の話者ＤＢに予め格納される標準話者情報が使用される。該標準話者情報は固定の標準的な話者特徴を含んでおり、相手話者を忠実に再現しない反面、話者の匿名性を向上させるという効果を生む。
【００３２】
この結果、例えば、親しくなる必要のない人物と暫定的な通話をする場合に、自分の顔や声を隠して対応できるという使用形態を可能とする利点がある。勿論、該モードは前記のオフラインブートモードと同様に回線接続後直ちに通話可能となるという特徴も備えている。
【００３３】
図２は、ＴＶ電話装置の基本動作を示すフローチャートである。
【００３４】
ステップ２０１，２０２は、ともに発信側と被発信側で各々通話に先駆けて自話者情報を生成して自局の話者ＤＢに登録しておく新規自話者情報登録処理である。
【００３５】
ステップ２０３は、発信側話者が通話を希望する相手話者のＩＤを指定することにより、相手話者との回線接続要求を発信する発呼処理である。
【００３６】
ステップ２０４は、発信側の回線接続要求に基づいて相互に回線を接続する回線接続処理である。
【００３７】
ステップ２０５は、自話者ＩＤを相互に交換する話者ＩＤ交換処理である。この結果、通話相手が誰であるのかを相互に知ることができる。
【００３８】
ステップ２０６において、通話相手が既知者であれば、オフラインブートモードに入って、ステップ２１１に進む。また、通話相手が未知者であれば、オンラインブートモードもしくはブートレスモードの選択のために、ステップ２０７に進む。
【００３９】
ステップ２０７において、通話者がブートレスモードを選択したかどうかを判断する。ブートレスモードを選択すれば、ブートレスモードに入りステップ２１０に進む。一方、ブートレスモードを選択しなければオンラインブートモードに入りステップ２０８に進む。
【００４０】
ステップ２０８は、前記新規自話者情報登録処理２０１，２０２により話者ＤＢに登録されている自話者情報を必要に応じて相互に交換する話者情報交換処理である。この結果、通話相手の話者特徴を相互に入手することができる。
【００４１】
ステップ２０９は、前記話者情報交換処理２０６で受け取った相手話者情報を自局の話者ＤＢに登録する新規相手話者情報登録処理である。
【００４２】
ステップ２１０においては、ブートレスモードに入っているため、標準話者情報を抽出する。この標準話者情報は、予め準備された一般的な画像情報や後述するマンガ的な画像的特徴を情報とするものであり、これにより、自分の顔や声を隠して対応できる。この場合に、相手に写る画像は、その標準話者の画像的特徴において口や顔の表情のみ、通話者の動きに対応するものであり、少なくとも、通話相手にとっては、顔の表情や口の動かし方だけは判別することができる。そのため、ＴＶ電話装置の利便を損うことがない。
【００４３】
ステップ２１１は、話者相互に通話する通話処理である。
【００４４】
ステップ２１２は、回線を切断して通話を終了する回線切断処理である。
【００４５】
なお、上記の回線接続処理２０４から回線切断処理２１２までの処理は、発信側と被発信側で各々同時にかつ独立に行われる。
【００４６】
（ＴＶ電話装置の第１の実施例の変更例１）
図３に第１の実施例の変更例を説明する。
【００４７】
第１の実施例（図１）との相違は、話者ＤＢ部３０８が装置本体から着脱可能となり、かつ話者ＤＢ部３０８と話者情報管理部３０６とを繋ぐ接続部３０９を新たに設けた構成となっている点である。
【００４８】
この結果、使用者毎に専用の話者ＤＢ部３０８を用意することが可能となり、例えば家族で一台の装置を使うような、使用者が頻繁に変わる状況においても、個人毎の話者ＤＢ部３０８を自在に入れ替えることで１台の装置が各話者に応じた最適な状態で使用されることが可能となる。しかも、着脱自在な話者ＤＢ部３０８は、例えば、メモリカードや磁気ディスク等で実現することにより小型化が可能なので、装置本体を小型化する上でも有利であり、携帯可能ＴＶ電話装置を提供する上で重要な役割を果たす。
【００４９】
（ＴＶ電話装置の第１の実施例の変更例２）
図４に第１の実施例の変更例を説明する。話者ＤＢ部の容量が不足した場合には、大容量の話者ＤＢ部を持つ親装置に該容量不足を起こした話者ＤＢ部の内容を待避させたり、逆に該大容量話者ＤＢ部から保存されている話者情報を読み込んだりできれば一層便利である。
【００５０】
図４にこのような装置の全体構成図を示す。
【００５１】
本装置は、図３の装置に大容量話者ＤＢ部４１０を新たに備えることにより、通信部４０７や着脱自在の話者ＤＢ部４０８を介して他装置との間で話者情報を交換可能である。
【００５２】
（ＴＶ電話装置の第１の実施例の変更例３）
図４において、登録される各話者についての通話頻度を対応する話者情報に付加して記録可能とし、話者ＤＢ部４０８から大容量話者ＤＢ部４１０への待避に際しては通話頻度の低いものから待避させることにより、重要な通話相手の話者情報が、常に使用可能な話者ＤＢ部４０８上に残るようにすることができる。
【００５３】
このようにすると、使用状況に最も適った話者ＤＢを自動的に構築することが可能となり、本装置の利便性はさらに向上する。
【００５４】
（ＴＶ電話装置の第１の実施例の変更例４）
なお、以上で述べた話者特徴は必ずしも写実的な画像特徴や音声特徴である必要はなく、使用者の好みに合わせて漫画的な画像特徴や音声特徴を用いることも可能である。
【００５５】
このためには、漫画的な話者特徴を話者ＤＢ部に登録可能であることが必要であるが、本装置では、これを外部装置（または親装置）から通信部や着脱自在の話者ＤＢ部等を経由して登録可能とすれば良い。
【００５６】
（ＴＶ電話装置の第２の実施例）
ＴＶ電話装置の第２の実施例を説明する。
【００５７】
図５は、実施例装置の基本構成図である。
【００５８】
符号５０１，５０４，５０６は、図１で述べた信号入力部１０１、信号出力部１０４、通信部１０８に対応する構成要素である。
【００５９】
符号５０２は、自話者信号を自話者コード列に変換する記号化部である。
【００６０】
符号５０３は、相手話者コード列を、相手話者信号に変換する信号化部である。
【００６１】
符号５０５は、記号化部５０２が出力する自話者コード列から自装置への指令となっている指令コード列を分離抽出し、該指令コード列に対応する操作信号を発生すると同時に、該指令コード列を除いた送信コード列を相手局へ送出されるべきコード列として、通信部５０６に出力する指令分離部である。
【００６２】
図１の装置との相違は、話者ＤＢ部と話者情報管理部を持たないことである。信号化に際して用いられる話者特徴は信号化部５０３が標準的な特徴情報を内蔵することで提供する。
【００６３】
この構成により、音声や動作による操作が通話中にも行えるようになり、かつ該操作を意味する音声や動作が不用意に相手に伝送されることのない音声命令可能な通信端末装置を実現することができる。
【００６４】
具体例としては、通話相手が、電話番号や住所等の情報を言い始めた場合に、これらの情報を記憶させるために、通話者はＴＶ電話装置に向かって、「メモ機能」と音声で指令すれば、この指令部分は、通話相手に送信されず、ＴＶ電話装置のみが受諾する。なお、この場合にメモ機能の録画装置を備えておく。
【００６５】
無論、従来の電話装置にも音声によりダイヤル可能なものが提案されているが、この場合の音声指令の受け付けは通話前に限定され、通話中の指令音声の受け付けやその伝送の禁止に関しては一切配慮が成されていなかった。
【００６６】
本実施例はこの点を解決して、本装置の利便性を向上せしむるものである。無論、本装置でも音声による回線接続操作を実現可能である。
【００６７】
（ＴＶ電話装置の第２の実施例の変更例１）
図６は、前記通話中の音声による命令機能を図１で示した第１の実施例において実現した例である。
【００６８】
自話者は、自話者コード列を用いて装置を操作可能であることから、図１の操作入力部１０５を指令分離部６０５に置き換えた構成となっている。
【００６９】
（ＴＶ電話装置の第２の実施例の変更例２）
図７に第２の実施例の変更例を説明する。
【００７０】
符号７０１，７０２，７０３，７０４，７０６は、図５における信号入力部５０１、記号化部５０２、指令分離部５０５、信号出力部５０４、通信部５０６に対応した構成要素であり、符号７０５は、図１における操作入力部１０５に対応した構成要素である。
【００７１】
信号入力部７０１からの自話者信号は、記号化部７０２と指令分離部７０３の両方に入力される。
【００７２】
指令分離部７０３は、記号化部７０２からの自話者コード列から指令コード列を分離抽出し、前記自話者信号から該指令コードの発せられた時間に対応した区間の信号を削除した送信信号を通信部７０６に出力する。
【００７３】
同時に、指令分離部７０３は、前記指令コード列に対応した操作信号も出力する。
【００７４】
通信部７０６は、前記送信信号を通信信号に変換して送出するとともに、相手局から受信した相手話者信号を信号出力部７０４に直接入力する。
【００７５】
この構成は、図５の構成と異なり、情報伝送の主役が話者コード列ではなくて話者信号である点がポイントである。このような構成により、信号化部と話者ＤＢ部を含まない小規模な構成が可能となる。
【００７６】
なお、本変更例では、図中の操作入力部７０５を排した構成も可能である。
【００７７】
（ＴＶ電話装置の第２の実施例の変更例３）
上記の変更例２を図８に示すように、さらに変更して実施することも可能である。
【００７８】
符号８０１，８０２，８０３，８０４，８０５，８０７は、図７における信号入力部７０１、記号化部７０２、指令分離部７０３、信号出力部７０４、操作入力部７０５、通信部７０６に対応した構成要素である。
【００７９】
そして、新たに制御部８０６を設け、操作信号を受理して制御信号と区間信号とを生成させる。区間信号とは、自話者が自装置に指令を発している期間を示す信号であり、該話者が例えば指令を発しながら、押しボタンスイッチを押し下げる等の、現在指令中であることを示す特別な操作をすることによって制御部８０６から発生されるものであるとする。
【００８０】
指令分離部８０３は、区間信号を検知している間の自話者信号を指令を含む信号として処理する。
【００８１】
要するに、第２の実施例においては、通話中に話者信号を認識して指令を受理し、かつ、その指令に該当する情報を送信対象から除外可能であるならば、指令中であることの検知方法等の細部の差異は問題とはならない。
【００８２】
（ＴＶ電話装置の第３の実施例）
図９に、ＴＶ電話装置の第３の実施例を示す。
【００８３】
符号９０１，９０２，９０３，９０４，９０７は、図５に示した信号入力部５０１、記号化部５０２、信号化部５０３、信号出力部５０４、通信部５０６に対応した構成要素である。また、符号９０５は、図７の操作入力部７０５に対応した構成要素である。符号９０６は、入力コードを所定の出力コードに変換するコード変換部である。
【００８４】
ここで、説明の都合上、コード変換部９０６により変換されるコード列を言語コードに限定し、該言語コード翻訳に際しての本実施例の利便性について述べる。
【００８５】
相手局から送出された言語コードは通信部９０７で受信され、通信コード列としてコード変換部９０６に入力される。
【００８６】
コード変換部９０６では該言語コードを所定の言語に翻訳して自局の話者に呈示する。しかし、従来の装置のように１文を受信し終わるまで翻訳作業を行わないのではなく、例えば、単語等のきりのよい単位での逐次翻訳を実行し、片言ではあるが即時に翻訳結果を伝達するようにできる点が特徴である。
【００８７】
このようにすることによって、通話の同時性や即時性が維持され、該装置を通じてのコミュニケーションをより円滑なものとすることができる。
【００８８】
なお、１文を受信後には該文の翻訳結果をも呈示可能としても良い。このために、該装置に言語コードを文字表示したり音声出力したりできる呈示機能を具備させ、例えば逐次翻訳結果は音声で出力し、１文一括翻訳結果は文字で同時に出力可能とすることもできる。
【００８９】
また、使用者によっては、前記言語コードをマイクを介して音声で入力したり、キーボード等を介して文字で入力したりと、該入力方法を選択可能としても良い。
【００９０】
あるいは、該言語コードを音声や文字で出力するのみでなく、手話の画像に変換して呈示しても良い。
【００９１】
さらには、該言語コードを入力するに際しても手話動作を認識して入力可能とすることも可能である。
【００９２】
要するに、本実施例においては、逐次翻訳結果と一括翻訳結果のうち、少なくとも前者を呈示可能であるならば、入力の方法や出力の方法等の細部の差異は問題とはならないのである。
【００９３】
（ＴＶ電話装置の第３の実施例の変更例１）
図１０は、コード変換部１００７を着脱自在とするために、装置本体と該コード変換部１００７とのインタフェースをとるコード伝達部１００６を新たに加えた構成例である。
【００９４】
このようにすると、コード変換部１００７をオプションとすることが可能となり、前記翻訳機能を必要とする利用者のみが、該機能を追加することができるという点において利便性が向上する。
【００９５】
（ＴＶ電話装置の第３の実施例の変更例２）
図１１は、図９に示した実施例を図１に示した装置に適用した例である。このようにすることにより、翻訳機能付きの知的符号化通信装置を提供可能である。
【００９６】
（ＴＶ電話装置の第４の実施例）
図１２にＴＶ電話装置の第４の実施例を示す。
【００９７】
符号１２０１，１２０３，１２０４，１２０５，１２０６，１２０７，１２０８は、図９に示した実施例における信号入力部９０１、記号化部９０２、信号化部９０３、信号出力部９０４、操作入力部９０５、コード変換部９０６、通信部９０７に対応している。
【００９８】
符号１２０２は、自話者信号から相手話者信号を差し引くキャンセル部であり、相手話者信号に遅延をかけた信号を一定倍して生成される信号を自話者信号から差し引く処理を行うことにより、信号入力部１２０１により入力された自話者音声に混入した相手話者音声をキャンセルする働きをするものである。
【００９９】
（ＴＶ電話装置の第４の実施例の具体例）
図１３は、第３の実施例を腕時計型の装置として実施した具体例である。
【０１００】
この小型のＴＶ電話装置では、マイク１３０１等の音声入力手段とスピーカー１３０２等の音声出力手段とが近接しており、この距離に比較して使用者と該装置との距離が大きくなるのが通常である。このとき、使用者に可聴な音量で相手音声を再生すると、該音声が前記音声入力手段に拾われてしまい、相手局では自分の発した音声に相手の発した音声がエコーのように重複する結果となり、甚だ使用感を損なうもととなる。ところが、本装置では、このエコーを除去するキャンセル部１２０２を有することにより、使用感を損なわない小型ＴＶ電話装置を提供可能となる。
【０１０１】
なお、本実施例は、通常は時計として機能するように、非通話時には画面全面が時計表示となる。無論、通話時には表示部１３０３に相手話者の画像が表示され、同時に時計画像が画面の一部に縮小表示される。
【０１０２】
ところで、上記実施例で示されるキャンセル部１２０２を有するＴＶ電話装置は、図１２と図１３に例示された実現形態に限定されるものではない。要するに、信号入力部と信号出力部がともに接近しており、かつ、それに比して該信号入力部と信号出力部がともに使用者から遠いが故に入力音声と出力音声が混入してしまう状況が発生する通信装置であれば、いかようにも適用実施可能である。即ち、前記キャンセル部１２０２が入力信号と出力信号の加重差を計算することによって前記混信を防止できさえすれば実現に際しての細部の差異は問題とはならない。
【０１０３】
（ＴＶ電話装置の追加機能１）
以上で述べた第１から第４までの実施例及び各変更例において、伝送された相手話者コード列を伝送時刻、相手話者ＩＤ、再生時のメディアの種別（音声，画像，文字，それらの組み合わせ）等の補助的情報とともに記録し、かつ後刻、自話者に対して再生可能とする記号レベルの留守番機能部を付加することも可能である。
【０１０４】
このようにすると、信号レベルで記録を行っていた従来の留守番機能付き電話装置等よりも少ないデータ量でメッセージの記録が可能となり、より多くのメッセージを格納可能とすることができる。
【０１０５】
また、前記留守番機能部が自局から送信したいメッセージも記録可能とし、予め設定されたイベント（タイマー，遠隔操作，留守番機能起動時等）が発生した時点で、該メッセージを自局から自動発信するようにしても良い。記録される送信メッセージは、相手話者ＩＤ、起動イベント、再生時のメディアの種別（音声，画像，文字，それらの組み合わせ）等の補助的情報とともに記録される。この結果、相手毎，イベント毎にメッセージを変えて送信，応答可能であるという点において利便性が一層向上する。
【０１０６】
（ＴＶ電話装置の追加機能２）
また、以上で述べた第１から第４までの実施例及び各変更例において、信号入力部が使用者によるキー入力を受け付け可能とし、あるいは信号出力部が使用者に対して文字表示を出力可能とすることもできる。
【０１０７】
このようにすると、少なくとも音声を用いる通信において、例えば耳が聞こえない等の音声によるコミュニケーションが困難な人も本装置を使用でき、使用者の枠が拡大するという点において本装置の利便性が一層向上する。
【０１０８】
なお、本機能を実現する場合には、画像用と文字用の画面を別々に用いることも可能であるが、相手画像に相手音声を文字に変換してスーパーインポーズして同一の画面に表示出力するようにすれば、使用者は常に該単一の表示画面のみを注視すればよいという点において、本装置の利便性が一層向上する。
【０１０９】
なお、以上の実施例及び変更例のさらなる変更例として、音声もしくは画像の少なくとも１つを記号で送受し、残りを信号で送受するようにしても良い。
【０１１０】
例えば、音声を記号化して伝送し、画像は信号を圧縮符号化して送る構成とすることも可能である。無論、記号、信号とも可能な限り圧縮符号化し、さらにバケット化する等して単一の伝送路でやりとりされることは言うまでもない。
【０１１１】
（ＴＶ電話装置の追加機能３）
以上の実施例及び変更例において、例えば話者ＤＢ部のような記憶手段に登録される話者情報に基づいてダイヤルを実行するための画面の構成例を図２２、図２３、図２４に示す。
【０１１２】
図２２は、ＴＶ電話装置における通話相手選択画面の例である。
【０１１３】
符号２２０１は、該画面の表示領域であり、表示手段全面またはその一部に表示される。
【０１１４】
符号２２０２は、相手話者アイコンであり、このアイコンを指またはマウス等の所定の指示手段によってクリックする等の選択操作を行うことにより、通話相手を選択可能とするものである。アイコン２２０２の近傍にはこれが示す通話相手の例えば名前等の情報が表示される話者ＩＤ表示領域２２０３がある。
【０１１５】
符号２２０５のように新たに登録される相手話者を表示するための空領域も表示することが可能である。
【０１１６】
符号２２０６，２２０７は、該画面に全ての話者アイコンが表示しきれない場合に、該画面をめくる操作を実行可能とするためのページめくりボタンである。もし、ページめくりボタン２２０７が表示されているときには次のページが存在することを示し、ページめくりボタン２２０６が表示されているときには前のページが存在していることを示す。
【０１１７】
符号２２０４は、一覧画面に登録されていない相手との通話を希望する際に選択されるダイヤル画面呼び出しアイコンであり、前記ページめくり操作に関わらず常に画面の所定の位置に表示され続けるものとする。
【０１１８】
図２３は、前記相手話者アイコンの例である。
【０１１９】
符号２３０１，２３０３，２３０５は各々アイコン領域である。この領域内に話者の例えば上半身の画像等が表示される。
【０１２０】
符号２３０２，２３０４，２３０６，２３０７は、各々話者ＩＤ表示領域であり、アイコン領域の内部または該領域の近傍に表示される。
【０１２１】
特に、符号２３０６，２３０７は、同一ＩＤの人物であってもその所在地の違いによってかけ分けられるように、話者ＩＤと例えば所在地の情報とを表示可能なように複数領域を使用して表示した例となっている。
【０１２２】
前記ダイヤル画面呼び出しアイコンを選択すると図２４に示すようなダイヤル画面２４０１が表示される。該画面２４０１にはプッシュホン装置のダイヤルボタン同様のダイヤルボタン２４０２が表示され、ダイヤルした番号がダイヤル番号表示領域２４０３に表示される。なお、該ダイヤルボタンには番号を訂正するためのボタンやダイヤルを実行するボタンが含まれる。
【０１２３】
（ＴＶ電話装置の第５の実施例）
図１４は、ＴＶ電話装置の第５の実施例を示した図である。
【０１２４】
本装置は２つの画面を備えており、画面１４０１に相手の動画像を、画面１４０２に相手から伝送されてきた資料を表示している。自局からの映像はカメラ１４０３で撮像され、符号化された後アンテナ１４０６から無線で相手局に転送される。音声についても同様にマイク１４０７から取り込まれ、アンテナ１４０６から相手局に転送される。相手話者の声はスピーカー１４０８を通して得られる。また一連の操作はキーボード１４０４で行われる。
【０１２５】
この際、動画像は情報量が多く、しかもリアルタイムで符号化，復号化処理を行う必要があることから、画像サイズ（つまり表示する場合の解像度）をあまり大きく設定できない。一方、参考資料等のように静止させて見る画像の場合にはリアルタイム性が要求されない代わりに、出来る限り高い解像度であることが要求される。
【０１２６】
従って動画像表示用の画面１４０１は、低解像度画面（例えば国際標準方式Ｈ．２６１のＣＩＦ，ＱＣＩＦレベル）、静止画像表示用の画面１４０２は高解像度画面（例えば国際標準方式のＪＰＥＧレベル）を装備すれば良い。
【０１２７】
ただし、コスト的な問題、あるいは画面１４０１、１４０２のいずれにも動画を表示する必要がある場合にはどちらの画面も動画用の解像度画面とすることも可能である。
【０１２８】
なお、静止画像は相手から伝送されてきたものを表示する場合と、手持ちの資料を表示して参照する場合とがある。手持ち資料を表示、あるいはそれを相手に伝送する場合には例えばディスクやＩＣカードを格納口１４０５より挿入し、情報を取り出して表示するようにすれば良い。また、ＴＶ受像機の解像度（例えばＮＴＳＣやＨＤＴＶレベル）を有している画面を用意しておけば、ＴＶ番組を視聴しつつ、同時に相手とコミュニケーションを取ることが出来る。なお、本実施例では画面を２つ具備した例を示したが、画面が３つもしくはそれ以上であってももちろん実現可能である。
【０１２９】
（ＴＶ電話装置の第６の実施例）
図１５は、ＴＶ電話装置の第６の実施例を示した図である。
【０１３０】
図１４に示した装置と同様に、画像はカメラ１５０３で撮像され、また音声はマイク１５０７から取り込まれて、それぞれアンテナ１５０６から相手局に転送される。また、相手側の画像は、画面１５０１に表示され、音声はスピーカー１５０８を通して得られる。これら一連の操作は、キーボード１５０４上で行われる。
【０１３１】
相手とのコミュニケーションの最中に情報をメモしたり、あるいはお互いに画面上で資料の修正を行う場合には、ボート画面１５０２が有効に機能する。
【０１３２】
該画面は、ライトペン１５０５を用いて情報を入力することが可能であり、またそれを随時相手側と送受信し合うことで、該ボード画面を用いながら資料を修正しつつのディスカッションが可能になる。
【０１３３】
この場合、ボード画面１５０２に入力された情報に対する文字認識機能を具備されることも可能であり、このようにすると本装置の利便性が一層向上する。
【０１３４】
さらに、図１４の場合と同様に、手持ちの資料をディスクあるいはＩＣカードから読み出すための格納口１５０９があり、ここを通じて情報の読み出しが可能になる。もちろん相手から送られてきた情報、あるいは修正した情報を再びディスクやＩＣカードに格納することも可能である。
【０１３５】
なお、ボード画面１５０２は、画面１５０１と同様の動画像表示画面であって、さらにその上からライトペンで書き込み可能なものであっても良い。また、これらの画面はキーボード１５０４からの入力を表示できる構成にすることも可能である。
【０１３６】
（ＴＶ電話装置の第７の実施例）
図１６は、ＴＶ電話装置の第７の実施例である。
【０１３７】
カメラ１６０４、アンテナ１６０５、マイク１６０６、スピーカー１６０７、キーボード１６０８、ライトペン１６０９、及び、ディスクやＩＣカード等のための格納口１６１０は、図１５と同様の働きをする。ここでは、さらに３種類の画面を装備している。
【０１３８】
この結果、使用者は動画用低解像度画面１６０１により、常に相手を見ながら通信ができ、静止画用高解像度画面１６０２により、その場で必要な資料をお互いに参照しながらディスカッションができる。
【０１３９】
また、ライトペン１６０９からの入力画面１６０３により、お互いが黒板を使っているようなイメージで情報の加筆，修正がこの画面上でおこなえる。
【０１４０】
なお、これらの画面は任意にキーボード１６０８からの入力を表示することも可能であり、その場合はワープロの代用としても使用できる。
【０１４１】
（ＴＶ電話装置の第８の実施例）
以下、ＴＶ電話装置の第８の実施例を図１７を用いて説明する。
【０１４２】
図１７は、本実施例に係わるブロック図である。
【０１４３】
入力端子１７０１より選択開始信号が入力されると、表示レート選択部１７０２で、ディスプレイに表示する動画像のレートを選択する。レート入力の方法は何でも良く、例えば音声に入力しても良いし、テンキーを用意しておきそれを用いて入力しても良い。あるいは表示可能レートをディスプレイ上に表示し、タッチパネル等を用いてその中から選択する方法を用いても良い。
【０１４４】
表示レートが決まると、選択レート画像表示部１７０３で、実際に表示レート下での動画像を表示する。表示する動画像は、予め選択可能レートでの動画像を作り、動画像メモリ１７０４に蓄積しておく。そして、動画像メモリ１７０４では入力された選択レートにおける動画像を選択レート画像表示部１７０３に送る。
【０１４５】
選択レート画像表示部１７０３では動画像の表示終了後、さらに別のレートでの動画像を表示するか、あるいは実際に用いる伝送，蓄積レートの決定をするかをユーザに問い、結果に応じて表示レート選択部１７０２あるいは伝送，蓄積レート決定部１７０５に信号を送る。
【０１４６】
伝送，蓄積レート決定部１７０５では、実際に伝送，蓄積に用いるレートをユーザに問う。レート入力の方法は何でも良く、例えば音声で入力しても良いし、テンキーを用意しておきそれを用いて入力しても良い。あるいは表示可能レートをディスプレイ上に表示し、タッチパネル等を用いてその中から選択する方法を用いても良い。最後に決定レートを出力端子１７０６に出力する。
【０１４７】
（ＴＶ電話装置の第９の実施例）
図１８は、ＴＶ電話装置の第９の実施例に係わるブロック図である。
【０１４８】
図１７と異なるのは、図１７の動画像メモリ１７０４が図１８では再構成画像生成部１８０７となっていることのみで、残りの部分は同じである。再構成画像生成部１８０７では画像入力端子１８０８より入力される画像を選択レートに基づき符号化と復号化を行い、再構成画像を生成した後、選択レート画像表示部１８０３に送る。
【０１４９】
画像入力端子１８０８から入力される画像としては、例えば、ＴＶ電話の場合には自局のカメラで撮像した画像が考えられる。
【０１５０】
（ＴＶ電話装置の第１０の実施例）
図１９は、ＴＶ電話装置の第１０の実施例に係わるブロック図である。
【０１５１】
図１７の場合には選択レートにおける動画像を表示したが、図１９の場合には選択されたレートで使用した時の単位時間当りに必要な通信料金、蓄積系の場合には蓄積可能な時間等の詳細情報を選択レート詳細情報表示部１９０９で表示する。
【０１５２】
なお、画像や情報の表示方法としては、１画面上に１つのレートに関するもののみを表示しても良いし、複数のレートに関するものを同時に表示し、レート間の比較を容易にしても良い。
【０１５３】
（ＴＶ電話装置の第１１の実施例）
図２０にＴＶ電話装置の第１１の実施例のブロック図を示す。
【０１５４】
該ブロック図は、単体の装置として機能することも考えられるが、テレビ電話等のような双方向伝送装置の一部として機能することも考えられる。
【０１５５】
撮像手段２００１は、伝送する画像よりも広い範囲をカバーしている。
【０１５６】
表示手段２００２は、撮像手段２００１によって撮像された画像を表示している。表示手段２００２は、図２１に示すように、表示領域２１０５に撮像された画像を表示している。表示領域２１０５の内側には伝送領域２１０６があり、伝送領域２１０６内の画像が伝送対象画像となる。伝送領域の縁は撮像者が分かるように線引きされている。
【０１５７】
画像切出し手段２００３は、撮像手段２００１によって撮像された画像のうち、伝送領域２１０６に対応する画像のみを切り出す。
【０１５８】
符号化手段２００４は、画像切り出し手段２００３によって切り出された画像を伝送するための符号化を行う。
【０１５９】
以上のように画像信号が処理されるため、該ＴＶ電話装置は伝送領域より広い領域を表示している。このため、撮像者は伝送領域の周囲の状況も確認できるため、カメラワークを容易に行うことができる。
【０１６０】
上記説明では、ＴＶ電話装置において説明したが、これに代えてビデオカメラで撮影した画像を無線で送る場合においても本実施例は効果的となる。
【０１６１】
なお、本発明に係るＴＶ電話装置は以上で述べた実施例及び変形例に限定されるものではなく、その要旨を逸脱しない限りにおいて上記の実施例及び変形例を様々に組み合わせて実施することも含めて、様々に変形可能であることは言うまでもない。
【産業上の利用可能性】
【０１６２】
本発明の通信端末装置によれば、通話中においても、通信端末装置に対する指令や不要な情報を削除して、通話相手に送らないようにできる。
【図面の簡単な説明】
【０１６３】
【図１】ＴＶ電話装置の第１の実施例のブロック図である。
【図２】ＴＶ電話装置の基本動作を示すフローチャートである。
【図３】ＴＶ電話装置の第１の実施例の変更例１のブロック図である。
【図４】ＴＶ電話装置の第１の実施例の変更例２のブロック図である。
【図５】ＴＶ電話装置の第２の実施例のブロック図である。
【図６】ＴＶ電話装置の第２の実施例の変更例１のブロック図である。
【図７】ＴＶ電話装置の第２の実施例の変更例２のブロック図である。
【図８】ＴＶ電話装置の第２の実施例の変更例３のブロック図である。
【図９】ＴＶ電話装置の第３の実施例のブロック図である。
【図１０】ＴＶ電話装置の第３の実施例の変更例１のブロック図である。
【図１１】ＴＶ電話装置の第３の実施例の変更例２のブロック図である。
【図１２】ＴＶ電話装置の第４の実施例のブロック図である。
【図１３】ＴＶ電話装置の第４の実施例の具体例（腕時計形）の斜視図である。
【図１４】ＴＶ電話装置の第５の実施例の斜視図である。
【図１５】ＴＶ電話装置の第６の実施例の斜視図である。
【図１６】ＴＶ電話装置の第７の実施例の斜視図である。
【図１７】ＴＶ電話装置の第８の実施例のブロック図である。
【図１８】ＴＶ電話装置の第９の実施例のブロック図である。
【図１９】ＴＶ電話装置の第１０の実施例のブロック図である。
【図２０】ＴＶ電話装置の第１１の実施例のブロック図である。
【図２１】ＴＶ電話装置の第１１の実施例における表示手段の表示状態を示す図面である。
【図２２】ＴＶ電話装置の追加機能３における画面の構成例であって、ＴＶ電話装置における通話相手選択画面の図面である。
【図２３】同じく相手話者アイコンの図面である。
【図２４】同じくダイヤル画面呼出しアイコンの図面である。
【符号の説明】
【０１６４】
１０１  信号入力部
１０２  記号化部
１０３  信号化部
１０４  信号出力部
１０５  操作入力部
１０６  話者情報管理部
１０７  話者ＤＢ部
１０８  通信部
【図１】
2004350315.tif 000003
【図２】
2004350315.tif 000004
【図３】
2004350315.tif 000005
【図４】
2004350315.tif 000006
【図５】
2004350315.tif 000007
【図６】
2004350315.tif 000008
【図７】
2004350315.tif 000009
【図８】
2004350315.tif 000010
【図９】
2004350315.tif 000011
【図１０】
2004350315.tif 000012
【図１１】
2004350315.tif 000013
【図１２】
2004350315.tif 000014
【図１３】
2004350315.tif 000015
【図１４】
2004350315.tif 000016
【図１５】
2004350315.tif 000017
【図１６】
2004350315.tif 000018
【図１７】
2004350315.tif 000019
【図１８】
2004350315.tif 000020
【図１９】
2004350315.tif 000021
【図２０】
2004350315.tif 000022
【図２１】
2004350315.tif 000023
【図２２】
2004350315.tif 000024
【図２３】
2004350315.tif 000025
【図２４】
2004350315.tif 000026